(57)【特許請求の範囲】
【請求項１】
便器の上部に設けたリム排水部への給水を行なう給水手段と、該給水手段の動作を制御する制御手段を備えた水洗便器装置において、
前記便器内を掃除する場合における前記給水手段の動作を設定し、且つオンにすれば前記制御手段を用いて前記給水手段により前記リム排水部から前記便器内に水が流れる操作手段を有し、前記制御手段は、前記便器内を掃除する場合、前記操作手段の設定に基づいて前記リム排水部への給水瞬間流量を便排出時の流量より少なくし、掃除の汚れを落とす場合には前記リム排水部への給水瞬間流量を前記掃除の場合より多くするように前記給水手段を制御することを特徴とする水洗便器装置。
【請求項２】
請求項１記載の水洗便器装置において、前記操作手段は、前記リム排水部への給水瞬間流量の大小を調整可能な流量調整部を有することを特徴とする水洗便器装置。
【請求項３】
請求項１及び２のいずれか１項に記載の水洗便器装置において、前記給水手段は電磁弁からなって、前記操作手段は、前記便器の側部に設けられた脇スイッチボックス手段に設けられていることを特徴とする水洗便器装置。
【請求項４】
請求項１及び２のいずれか１項に記載の水洗便器装置において、前記給水手段は電磁弁からなって、前記操作手段は前記便器の側部に設けられてオンオフスイッチを有することを特徴とする水洗便器装置。
【請求項５】
請求項１及び２のいずれか１項に記載の水洗便器装置において、前記給水手段は電磁弁からなって、前記操作手段は、前記便器とは独立に設けられたリモコンスイッチ手段に設けられていることを特徴とする水洗便器装置。
【請求項６】
請求項１〜５のいずれか１項に記載の水洗便器装置において、前記給水手段はタイマ制御されて、一旦前記操作手段をオンにした後、一定時間を経過すればオフになって、前記リム排水部への給水が停止することを特徴とする水洗便器装置。
【発明の詳細な説明】
【０００１】
【発明の属する技術分野】
本発明は、リム排水部を有する水洗便器装置に係り、特に、便器の使用とは独立に便器内の洗浄を可能とする水洗便器装置に関する。
【０００２】
【従来の技術】
従来の水洗便器装置において、便器の掃除を行う場合に、便器内に付着した汚れを流し落とすために、バルブを開いてタンク内に溜まった洗浄用の水を使用していた。
【０００３】
【発明が解決しようとする課題】
ところが、タンク内に溜まった水は約１０秒程度で流れ切ってしまうために、掃除をしている場合に、十分に水をボール面に流しながら掃除を行うことが困難であった。
更には、例えば、特開平３−９０７４６号公報に開示されているように、節水のために、リム排水部とは別に便器のボウル部にジェット排水部を設けている水洗便器装置においては、リム排水部に引続きジェット排水部に水が供給されるようになっているので、この水は洗浄には寄与しないという問題があった。
本発明はかかる事情に鑑みてなされたもので、必要な場合に必要な時間、便器に、洗浄用の水を流すことが可能な水洗便器装置を提供することを目的とする。
【０００４】
【課題を解決するための手段】
前記目的に沿う第１の発明に係る水洗便器装置は、便器の上部に設けたリム排水部への給水を行なう給水手段と、該給水手段の動作を制御する制御手段を備えた水洗便器装置において、
前記便器内を掃除する場合における前記給水手段の動作を設定し、且つオンにすれば前記制御手段を用いて前記給水手段により前記リム排水部から前記便器内に水が流れる操作手段を有し、前記制御手段は、前記便器内を掃除する場合、前記操作手段の設定に基づいて前記リム排水部への給水瞬間流量を便排出時の流量より少なくし、掃除の汚れを落とす場合には前記リム排水部への給水瞬間流量を前記掃除の場合より多くするように前記給水手段を制御する。
これによって、操作手段をオンにすれば、制御手段を介して給水手段によりリム排水部から水が便器内に流れ、操作手段をオフにすれば、制御手段を介して給水手段によりリム排水部への給水が停止する。また、リム排水部への給水瞬間流量を便排出時の流量より少なくするように水量を調整できる。
第１の発明に係る水洗便器装置において、前記操作手段は、前記リム排水部への給水瞬間流量の大小を調整可能な流量調整部を有する構成とすることもできる。これによって、リム排水部への給水瞬間流量を任意に調整できる。
【０００５】
【０００６】
第１の発明に係る水洗便器装置において、前記給水手段（止水弁）は手動弁であってもよいが、電磁弁によって構成するのが好ましい。給水手段を電磁弁によって構成した場合、電磁弁のオンオフを行う前記操作手段は、前記便器の側部に設けられた脇スイッチボックス手段に設けられている場合、便器の側部に設けられオンオフスイッチによって行う場合、便器とは独立に設けられたリモコンスイッチ手段に設けられている場合があり、更にはこれらの２以上が併用されている場合もある。
【０００７】
また、前記操作手段をオンオフスイッチによって構成した場合、操作手段を一つのスイッチによって構成し、押した場合のみリム排水部から水（洗浄水）が放出されるようにする場合や、オンスイッチとオフスイッチを２つ設け、オンスイッチを押すとリム排水部が放水され、オフスイッチを押すとリム排水部からの放水が停止されるようにする場合がある。この場合、オフスイッチを押し忘れると水が出放しとなるので、給水手段をタイマ制御して、一旦操作手段をオンにした後、一定時間を経過すればオフになって、リム排水部への給水が停止するようにするのが好ましい。
【０００８】
【発明の実施の形態】
続いて、添付した図面を参照しつつ、本発明を具体化した実施の形態につき説明し、本発明の理解に供する。
ここに、図１は本発明の第１の実施の形態に係る水洗便器装置の説明図、図２は同水洗便器装置の斜視図、図３は本発明の第２の実施の形態に係る水洗便器装置の概略説明図、図４は本発明の第３の実施の形態に係る水洗便器装置の概略説明図である。
【０００９】
図１、図２に示すように、本発明の第１の実施の形態に係る水洗便器装置１０は、サイフォンジェット式の水洗便器装置からなって、中央部から下部がボウル部１１となった陶器又はプラスチック製の便器１２と、一端がボウル部１１の底部に連通するトラップ排水部１３と、便器１２の上端周縁に配置された環状のリム排水部１４と、便器１２の後方上部に設けられた機器収納部１５とを有している。リム排水部１４の底壁には、周方向に間隔を隔てて形成された多数の貫通孔１４ａが形成され、この部分からボウル部１１のボウル面に沿って洗浄水が放出されるようになっている。ボウル部１１の底部にはトラップ排水部１３の一方に指向したジェット洗浄水の噴出口１６が設けられ、トラップ排水部１３の他方は図示しない排水管に接続されている。
【００１０】
図示しない水道配管に接続された給水管１７が機器収納部１５内にあり、給水管１７から枝管１８、１９が分岐している。枝管１８には給水手段の一例である電磁弁からなる第１の止水弁２０が接続され、枝管１９には同じく給水手段の一例である電磁弁からなる第２の止水弁２１が接続されている。止水弁２０の下流側に接続される配管２２は途中に大気開放弁２３を有して、噴出口１６に接続されている。また、止水弁２１の下流側の配管２４はリム排水部１４に接続される導水部２５に接続されている。なお、リム排水部１４は、便器１２のボウル部１１の上端のリム周囲に導水部を持たせた本実施の形態に限定されず、ボウル部１１の上端奥側のリム近傍に洗浄水を勢いよく噴射させる噴射口を設けて、その噴射口からの洗浄水がボウル部１１を螺旋状に流れるように噴射させるような形態としてもよい。
【００１１】
一方、止水弁２０、２１のオンオフを含むこの水洗便器装置１０の全体の制御を行う制御手段２６が機器収納部１５内に設けられている。制御手段２６に接続されて、止水弁２１の入切りを行うオンスイッチ２７とオフスイッチ２８を備えた操作手段の一例であるスイッチ操作部２９が、便器１２又は機器収納部１５の側部に設けられている。なお、便器１２の側方に脇スイッチボックス手段が設けられている場合には、この中にスイッチ操作部２９を組み込むこともできる。
なお、図２において、符号３１は開閉可能な便座、符号３２はその上に被さる便蓋である。
【００１２】
このような構造となっているので、スイッチ操作部２９のオンスイッチ２７を押すと、止水弁２１が開き、水道水が止水弁２１を通ってリム排水部１４内に給水され、貫通孔１４ａからボウル部１１内に向けて放水される。この場合、図２に示すように、それぞれの貫通孔１４ａを斜め反時計方向に向けておくことによって、反時計方向の水流をボウル部１１内に形成し、ボウル部１１の全面を覆うようにして洗浄される。
そして、オフスイッチ２８を押すと止水弁２１が閉じてリム排水部１４からの放水は停止する。
【００１３】
続いて、図３を参照しながら本発明の第２の実施の形態に係る水洗便器装置について説明するが、第１の実施の形態に係る水洗便器装置１０との相違点のみ異なる番号を付して説明する（以下の実施の形態においても同じ）。
第２の実施の形態に係る水洗便器装置においては、止水弁２１の下流側の配管２４に流量調整弁３５を設けている。この流量調整弁３５は電気信号によってその流量調整が可能で、通常の用便後の使用においては最大開度となっている。一方操作手段の一例であるスイッチ操作部３６を介して止水弁２１の開動作を行う場合には、流量を無段階で、あるいは段階的に調整ができるように、別に、流量調整部の一例であるコントロール用の摘まみ（ボリューム）３７が設けられている。これによって単独で止水弁２１を開ける場合には、その給水瞬間流量を調整できるようにしている。これによって、便器１２内のブラシを使っての掃除等の場合には少量の水にし、その後全部の汚れを落とす場合に大量の水を流すことができる。
【００１４】
次に、図４を参照しながら、本発明の第３の実施の形態に係る水洗便器装置について説明する。図に示すように、更にリム排水部１４に接続する導水部２５に、給水手段の一例である電磁弁からなる第３の止水弁３８と、これに直列に接続された流量調整弁（絞り弁）３９を有する水回路４０が付加されている。そして、操作手段の一例であるスイッチ操作部４１には、止水弁２１を開にするオンスイッチ４２と、止水弁３８を開にするオンスイッチ４３と、止水弁２１及び止水弁３８の何れをも閉にするオフスイッチ４４が設けられている。流量調整弁３９は外部調整可能な手動式であっても電動式であってもよいが、止水弁３８を通過する水の量を例えば１／２〜１／３の範囲で絞ることができるようになっている。
これによって、通常（便排出時等）は止水弁２１を開にして最大の水量を流すが、特定の掃除等の場合には、止水弁２１を閉じた状態で止水弁３８を開けてリム排水部１４に流して水を減らすことも可能である。
【００１５】
以上の実施の形態において、操作手段（スイッチ操作部２９、３６、４１）は、便器１２の側部に配置したが、別配置されたリモコンスイッチ手段の一例であるリモコンボックス３３（図１、図２参照）内に設けることもできる。なお、リモコンボックス３３はこの実施の形態では電池駆動され、トイレの天井面を向いて配置された発光ダイオードからなる投光器３４を備え、機器収納部１５の特定位置に設けたフォトトランジスタやフォトダイオード等からなる図示しない受光器に光を当てて、制御手段２６に信号を送り、止水弁２１の開閉を行うようになっている。
【００１６】
また、オンスイッチ２７、４２、４３を押すと、止水弁２１や３８が開いてリム排水部１４から水が流れ続けるので、所定時間（例えば、１〜３分）経過の後、自動的に止水弁２１、３８が閉じてリム排水部１４への給水を止めるようにするタイマ部を制御手段２６に設けることもできる。
【００１７】
【発明の効果】
請求項１〜６記載の水洗便器装置においては、操作手段をオンにすれば、給水手段によりリム排水部から水が便器内に流れ、しかも、リム排水部からの給水瞬間流量を便排出時の流量より少なくするように水量を調整できるので、少ない流量で長い時間をかけて便器の内部の清掃を行うことができる。また、必要な場合には、リム排水部から流す水の量を減らして節水を行うことができる。
特に、請求項６記載の水洗便器装置においては、操作手段はタイマ制御されて、一旦オンにした後、一定時間を経過すればオフになって、リム排水部への給水が停止するので、水の流し放しを防止して節水を行うことができる。
【図面の簡単な説明】
【図１】本発明の第１の実施の形態に係る水洗便器装置の説明図である。
【図２】同水洗便器装置の斜視図である。
【図３】本発明の第２の実施の形態に係る水洗便器装置の概略説明図である。
【図４】本発明の第３の実施の形態に係る水洗便器装置の概略説明図である。
【符号の説明】
１０：水洗便器装置、１１：ボウル部、１２：便器、１３：トラップ排水部、１４：リム排水部、１４ａ：貫通孔、１５：機器収納部、１６：噴出口、１７：給水管、１８、１９：枝管、２０、２１：止水弁（給水手段）、２２：配管、２３：大気開放弁、２４：配管、２５：導水部、２６：制御手段、２７：オンスイッチ、２８：オフスイッチ、２９：スイッチ操作部（操作手段）、３１：便座、３２：便蓋、３３：リモコンボックス（リモコンスイッチ手段）、３４：投光器、３５：流量調整弁、３６：スイッチ操作部（操作手段）、３７：摘まみ、３８：止水弁（給水手段）、３９：流量調整弁、４０：水回路、４１：スイッチ操作部（操作手段）、４２：オンスイッチ、４３：オンフイッチ、４４：オフスイッチ
【図１】
0004017849.tif 000002
【図２】
0004017849.tif 000003
【図３】
0004017849.tif 000004
【図４】
0004017849.tif 000005